(57)【特許請求の範囲】
【請求項１】
表面に月毎の日付が七曜表形式で印字されるとともに前記日付の近傍に貫通孔が形成された第一のシートと、前記第一のシートの前記貫通孔が形成された領域に重ねられる領域に貫通孔が形成された第二のシートと、前記第一のシートに重ねられた前記第二のシートを前記第一のシートに係止させる係止手段と、を備え、
７個１列のポケットを有するＰＴＰシートを前記第一のシートと前記第二のシートの間に挟み込み、前記第一のシートの前記貫通孔から前記ＰＴＰシートの前記ポケットを表面に露出させて前記日付と前記ポケットとを一対一に対応させた状態で、前記係止手段によって前記第一のシートに前記第二のシートを係止させて前記ＰＴＰシートを保持するように構成され、
前記第一のシートは、前記ＰＴＰシートの左右３個ずつのポケットを露出させる形状を有する第一の貫通孔と、前記ＰＴＰシートの中央の１個のポケットに対応する形状を有する第二の貫通孔と、を有し、
前記第一の貫通孔と、前記第二の貫通孔と、前記第一の貫通孔と、が横方向に沿ってこの順に配置される、
カード型包装体。
【請求項２】
前記第二のシートには、前記ＰＴＰシートを収納するための収納部が設けられる、請求項１に記載のカード型包装体。
【請求項３】
前記第二のシートにおいて、貫通孔が前記第一のシートの前記日付に対応するように横方向に沿って７個配置されることにより列が形成され、前記列が縦方向に沿って複数配置されてなる、請求項２に記載のカード型包装体。
【請求項４】
前記第二のシートにおいて、少なくとも、第一の貫通孔と、前記第一の貫通孔と大きさの異なる第二の貫通孔と、が横方向に沿って配置されることにより列が形成され、前記列が縦方向に沿って複数配置されてなる、請求項２に記載のカード型包装体。
【請求項５】
前記係止手段は、前記第一のシートに形成された切込部と、前記第二のシートの縁部と、から構成され、前記切込部に前記縁部を嵌め込むことにより前記第一のシートに前記第二のシートを係止させる、請求項１から４の何れか一項に記載のカード型包装体。
【請求項６】
請求項１から５の何れか一項に記載のカード型包装体を複数備える、
カレンダー型包装体。
【発明の詳細な説明】
【技術分野】
【０００１】
本発明は、カード型包装体及びカレンダー型包装体に関する。
【背景技術】
【０００２】
従来より、薬剤の包装技術の一つとして、いわゆるＰＴＰ（Press Through Package）シートが提案され、実用化されている。ＰＴＰシートは、薬剤を収容するためのポケットと、このポケットの開口部を被覆するアルミニウム薄膜と、を有しており、必要に応じてこのポケットを押圧してアルミニウム薄膜を破ることにより、ポケットに収容された薬剤を取り出すことができるようになっている。
【０００３】
現在においては、ＰＴＰシートに収容された薬剤の服用状況を把握するための技術が種々提案されている。例えば、折り畳み可能な台紙に、服用日時や一日の服用数に対応させてマトリクス状に配置した開口部を設け、この台紙の内部にＰＴＰシートを挟み込み開口部からＰＴＰシートのポケットを露出させて服薬状況を管理する技術が提案されている（特許文献１参照）。
【先行技術文献】
【特許文献】
【０００４】
【特許文献１】特開２００１−７０４０４号公報
【発明の概要】
【発明が解決しようとする課題】
【０００５】
特許文献１に記載されたような従来の技術においては、台紙に設けられた開口部から露出するＰＴＰシートのポケットの変形状況等に基づいて服薬状況を把握することはできる。しかし、このような従来の技術を採用しても、長期間（例えば一ヶ月間や一年間）にわたり服薬が必要な患者に薬剤を提供するような場合には服薬状況を管理仕切れなくなり、飲み忘れが生じるおそれがあった。
【０００６】
本発明は、かかる事情に鑑みてなされたものであり、長期間にわたって服薬状況を管理することができるカード型包装体及びカレンダー型包装体を提供することを目的とする。
【課題を解決するための手段】
【０００７】
本発明に係るカード型包装体は、表面に月毎の日付が七曜表形式で印字されるとともに日付の近傍に貫通孔が形成された第一のシートと、第一のシートの貫通孔が形成された領域に重ねられる領域に貫通孔が形成された第二のシートと、第一のシートに重ねられた第二のシートを第一のシートに係止させる係止手段と、を備え、ＰＴＰシートを第一のシートと第二のシートの間に挟み込み、第一のシートの貫通孔からＰＴＰシートのポケットを表面に露出させて日付とポケットとを一対一に対応させた状態で、係止手段によって第一のシートに第二のシートを係止させてＰＴＰシートを保持するように構成されるものである。
【０００８】
かかる構成を採用すると、２枚のシートの間にＰＴＰシートを挟み込んで保持した際に、第一のシートの表面に印字された日付の近傍にＰＴＰシートのポケットを露出させて、日付とＰＴＰシートのポケットとを一対一に対応させることができる。従って、ＰＴＰシートに収納された薬剤を服用する患者（又は患者の服薬状況を管理する第三者）は、例えば一日一回ＰＴＰシートのポケットを押圧して第二のシートの貫通孔を介して薬剤を取り出すことにより、何月何日に薬剤を服用したかをきわめて簡単に認識することができる。第一のシートには月毎に日付が印字されているため、長期間にわたって服薬状況を管理することが可能となる。
【０００９】
前記カード型包装体の第一のシートにおいて、貫通孔を複数形成することができる。例えば、第一の貫通孔と、第一の貫通孔と大きさの異なる第二の貫通孔と、を横方向に沿って配置することにより列を形成し、この列を縦方向に沿って複数（例えば６列）配置することができる。第一の貫通孔の形状としては例えばＰＴＰシートのポケット複数個分が収まる横長の形状（略楕円形、略長円形、略長方形等）を採用することができ、第二の貫通孔の形状としては例えばＰＴＰシートのポケット１個分が収まる形状（略円形、略正方形、略楕円形、略長方形等）を採用することができる。また、大きさの異なる第三、第四の貫通孔を設けてもよい。貫通孔の個数や配置順は特に限定されるものではなく、例えば第一の貫通孔と、第二の貫通孔と、第一の貫通孔と、を横方向に沿ってこの順に配置することもできる。
【００１０】
かかる構成を採用すると、ＰＴＰシートの横方向におけるポケットの間隔やポケットのサイズが変更された場合においても、第一のシートの貫通孔を複数種類形状のＰＴＰシートのポケットに対応させることができる。例えば、７個１列のポケットを有するＰＴＰシートを採用した場合には、横方向中央の円形の貫通孔（第二の貫通孔）にＰＴＰシートの中央の１個のポケットを位置合わせすることにより、ＰＴＰシートの横方向におけるポケットの間隔やポケットのサイズが変更された場合においても、左右に配置された長円形の貫通孔（第一の貫通孔）によってＰＴＰシートの左右３個ずつのポケットを支障なく露出させることができる。このようにＰＴＰシートのポケット１個に対応する形状の貫通孔を中央に配置すると、ＰＴＰシートのポケット間隔が異なる場合における左右末端の位置ずれの積算値を最小にすることができるので、好ましい。
【００１１】
また、前記カード型包装体において、第二のシートに、ＰＴＰシートを収納するための収納部を設けることが好ましい。この際、７個１列のポケットが１列設けられたＰＴＰシートを収納するような１列用の収納部を採用し、この１列用の収納部を縦方向に沿って６つ設けることができる。また、７個１列のポケットが２列設けられたＰＴＰシートを収納するような２列用の収納部を採用し、この２列用の収納部を縦方向に沿って３つ設けてもよい。
【００１２】
かかる構成を採用すると、第一のシートと第二のシートの間にＰＴＰシートを挟み込む前に、第二のシートの収納部によってＰＴＰシートを収納して保持することができる。また、第二のシートに収納部を設けることにより、ＰＴＰシートをより確実に保持することができ、ＰＴＰシートの内容物を取り出す際に安定して取り出すことができるので、好ましい。
【００１３】
また、前記カード型包装体の第二のシートにおいて、貫通孔を複数形成することができる。例えば、円形の貫通孔を第一のシートの日付に対応するように横方向に沿って７個配置することにより列を形成し、この列を縦方向に沿って複数（例えば６列）配置することもできる。
【００１４】
かかる構成を採用すると、第二のシートの各貫通孔の位置を、所定のサイズに設定されたＰＴＰシートのポケットに一対一に対応させることができる。
【００１５】
また、前記カード型包装体の第二のシートにおいて、第一の貫通孔と、第一の貫通孔と大きさの異なる第二の貫通孔と、を横方向に沿って配置することにより列を形成し、この列を縦方向に沿って複数（例えば６列）配置することができる。第一の貫通孔の形状としては例えばＰＴＰシートのポケット複数個分が収まる横長の形状（略楕円形、略長円形、略長方形等）を採用することができ、第二の貫通孔の形状としては例えばＰＴＰシートのポケット１個分が収まる形状（略円形、略正方形、略楕円形、略長方形等）を採用することができる。また、大きさの異なる第三、第四の貫通孔を設けてもよい。貫通孔の個数や配置順は特に限定されるものではなく、例えば第一の貫通孔と、第二の貫通孔と、第一の貫通孔と、を横方向に沿ってこの順に配置することもできる。
【００１６】
かかる構成を採用すると、ＰＴＰシートの横方向におけるポケットの間隔やポケットのサイズが変更された場合においても、第二のシートの貫通孔を複数種類形状のＰＴＰシートのポケットに対応させることができる。例えば、７個１列のポケットを有するＰＴＰシートを採用した場合には、横方向中央の円形の貫通孔（第二の貫通孔）にＰＴＰシートの中央の１個のポケットを位置合わせすることにより、ＰＴＰシートの横方向におけるポケットの間隔やポケットのサイズが変更された場合においても、左右に配置された長円形の貫通孔（第一の貫通孔）によってＰＴＰシートの左右３個ずつのポケットの範囲をカバーすることができる。このようにＰＴＰシートのポケット１個に対応する形状の貫通孔を中央に配置すると、ＰＴＰシートのポケット間隔が異なる場合における左右末端の位置ずれの積算値を最小にすることができるので、好ましい。
【００１７】
また、前記カード型包装体において、第一のシートに形成された切込部と、第二のシートの縁部と、から係止手段を構成し、切込部に縁部を嵌め込むことにより第一のシートに第二のシートを係止させることができる。
【００１８】
かかる構成を採用すると、別途部材を設けることなくきわめて簡易に係止手段を構成することができる。
【００１９】
また、前記カード型包装体において、第一及び第二のシートの平面形状を矩形状とした場合には、切込部として、第一のシートの縁部近傍に形成された円弧状切込部を採用することができる。円弧状切込部は、少なくとも一つ（好ましくは二つ以上）設けられるものとする。
【００２０】
かかる構成を採用すると、第一のシートの縁部（例えば左右縁部や上下縁部）近傍に少なくとも二つ形成された円弧状切込部に第二のシートの縁部（左右縁部や上下縁部）を嵌め込むことができるので、安定的な係止状態を維持することが可能となる。
【００２１】
また、前記カード型包装体において、第一のシートの各円弧状切込部の近傍に配置されたスリットを設けることが好ましい。
【００２２】
かかる構成を採用すると、第一のシートの各縁部における円弧状切込部の近傍部分が撓み易くなるため、第二のシートの縁部を第一のシートの円弧状切込部に嵌め込み易くなる。
【００２３】
また、前記カード型包装体において、第一及び第二のシートを、折曲部を介して一体的に接合することもできる。すなわち、第一及び第二のシートは必ずしも分離していなくてもよく、一枚のシートで構成してもよい。
【００２４】
本発明に係るカレンダー型包装体は、前記カード型包装体を複数（例えば１２個）備えるものである。
【００２５】
かかる構成を採用すると、長期間（例えば１年間）にわたって服薬状況を管理することが可能となる。
【００２６】
前記カレンダー型包装体において、複数のカード型包装体を構成する第二のシートを共通化することもできる。例えば、第一のシートとして月毎の日付が印字された１２枚のシートを準備する一方、第二のシートとして１枚のシートを準備し、この１枚の第二のシートを１２枚の第一のシートの各々と組み合わせてカード型包装体を構成してもよい。
【００２７】
かかる構成を採用すると、第二のシートを複数製作する必要がなくなるため、包装体全体の製作に要する手間や時間を大幅に削減することが可能となる。
【発明の効果】
【００２８】
本発明によれば、長期間にわたって服薬状況を管理することができるカード型包装体及びカレンダー型包装体を提供することが可能となる。
【図面の簡単な説明】
【００２９】
【図１】本発明の実施形態に係るカレンダー型包装体の斜視図である。
【図２】図１のカレンダー型包装体を構成するカード型包装体のカレンダーシートの平面図である。
【図３】図１のカレンダー型包装体を構成するカード型包装体のホルダーシートの平面図である。
【図４】図３のホルダーシートの収納部にＰＴＰシートを収納する手順を説明するための説明図である。
【図５】図３のホルダーシートをカレンダースタンドに装着する手順を説明するための説明図である。
【図６】図３のホルダーシートを図２のカレンダーシートに装着する手順を説明するための説明図である。
【図７】本発明の実施形態に係るカード型包装体の使用状態を説明するための説明図である。
【図８】ホルダーシートの変形例を示す平面図である。
【図９】ホルダーシートの他の変形例を示す平面図である。
【発明を実施するための形態】
【００３０】
本発明の実施の形態について、図面を参照しつつ説明する。以下の実施形態は、本発明を説明するための例示であり、本発明をこの実施形態にのみ限定する趣旨ではない。本発明は、その要旨を逸脱しない限り、さまざまな形態で実施することができる。
【００３１】
まず、図１を用いて、本発明の実施形態に係るカレンダー型包装体１の構成について説明する。
【００３２】
本実施形態に係るカレンダー型包装体１は、図１に示すように、カレンダースタンド２と、カレンダースタンド２上部に取り付けられたリング部材３と、リング部材３に取り付けられる１２ヶ月分のカード型包装体１０と、を備えている。なお、図１においては、２０１１年１月分のカード型包装体１０のみを図示するとともに、カード型包装体１０を構成するホルダーシート３０（後述）の図示を省略している。
【００３３】
カレンダースタンド２は、図１に示すように、厚紙等により略三角柱状に構成された縦置き可能な部材である。カード型包装体１０は、後に詳述するように、２枚のシートの間にＰＴＰシート１００（図４）を挟み込んで保持しつつＰＴＰシート１００のポケット１１０を露出させて服薬状況を明らかにするものである。カレンダー型包装体１を卓上等に載置することにより、一年間にわたる服薬状況を容易に認識することが可能となる。なお、カレンダースタンド２を折り畳むことにより、カレンダー型包装体１を平坦にすることもできる。
【００３４】
次に、図２及び図３等を用いて、本発明の実施形態に係るカード型包装体１０の構成について説明する。
【００３５】
本実施形態に係るカード型包装体１０は、厚紙等で構成された平面視矩形状のカレンダーシート２０と、カレンダーシート２０と略同じ大きさに形成され可撓性合成樹脂等で構成された平面視矩形状のホルダーシート３０と、を備えている。カレンダーシート２０及びホルダーシート３は、各々、本発明における第一のシート及び第二のシートに相当するものである。
【００３６】
カレンダーシート２０の表面には、図２に示すように、月毎の日付２１が七曜表形式で印字されている。なお、図２においては、２０１１年１月分の日付２１を印字したカレンダーシート２０を例示しているが、２０１１年２月分〜１２月分の日付を印字したカレンダーシートを別途準備することができる。
【００３７】
また、カレンダーシート２０の各日付２１の下部近傍には、貫通孔２２（２２ａ、２２ｂ）が形成されている。貫通孔２２は、カレンダーシート２０とホルダーシート３０の間にＰＴＰシート１００（図４）を挟み込んで保持する際に、ＰＴＰシート１００のポケット１１０を露出させるためのものである。本実施形態においては、横方向に長い長円形の貫通孔２２ａ（第一の貫通孔）と、円形の貫通孔２２ｂ（第二の貫通孔）と、長円形の貫通孔２２ａ（第一の貫通孔）と、を横方向に沿ってこの順に配置することにより列を形成し、この列を縦方向に沿って６つ配置している。なお、貫通孔の列数は６列に限られるものではなく、日数の少ない月（例えば２月）においては５列だけ設けることもできる。また、該当する日付が存在しない曜日（例えば、２０１１年１月の場合には、第１列目の日曜日から金曜日と第６列目の火曜日から土曜日）に対応する位置には貫通孔を設けないでおくこともできる。
【００３８】
カレンダーシート２０の左右縁部２０Ｌ・２０Ｒ近傍及び下縁部２０Ｂ近傍には、各縁部に沿って円弧状切込部２３が形成されている。円弧状切込部２３は、本発明における係止手段を構成するものであり、ホルダーシート３０の左右縁部３０Ｌ・３０Ｒ及び下縁部３０Ｂに形成された凹部３３を嵌め込ませることにより、カレンダーシート２０にホルダーシート３０を係止させるように機能する。また、カレンダーシート２０の各円弧状切込部２３の両側には、各縁部に対して直角に延在する短いスリット２４が形成されている。このようなスリット２４を形成することにより、カレンダーシート２０の各縁部におけるスリット間部分（円弧状切込部２３の周囲部分）が撓み易くなる。なお、カレンダーシート２０の上縁部２０Ｕ近傍には、カレンダースタンド２上部に取り付けられたリング部材３を挿通させるリング孔２５が複数設けられている。
【００３９】
ホルダーシート３０には、ＰＴＰシート１００を収納するためのポケット（収納部）３１が設けられている。本実施形態においては、７個１列のポケット１１０が１列設けられたＰＴＰシート１００（図４）を収納するような１列用の収納部３１を採用しており、この１列用の収納部３１を縦方向に沿って６個配置している。なお、収納部３１の個数は６個に限られるものではなく、貫通孔３２（後述）の列数が５列である場合には収納部３１の個数を５個とすることもできる。本実施形態においては、可撓性合成樹脂等で構成された横長のフィルム部材を準備し、このフィルム部材の左右縁部の下半分と下縁部とをホルダーシート３０に接着剤等で貼着することにより、上半分に開口部を有する収納部３１を形成している。なお、収納部３１を形成するフィルム部材には、後述する貫通孔３２に対応する位置に貫通孔を設けておくこととする。
【００４０】
また、ホルダーシート３０には、カレンダーシート２０の貫通孔２２が形成された領域に重ねられる領域に貫通孔３２が形成されている。貫通孔３２は、カレンダーシート２０とホルダーシート３０の間に挟み込んで保持したＰＴＰシート１００（図４）のポケット１１０から薬剤を取り出す際に使用されるものである。ＰＴＰシート１００のポケット１１０を押圧することにより薄膜を破って露出した薬剤は、ホルダーシート３０の貫通孔３２を介して外部に取り出されることとなる。本実施形態においては、カレンダーシート２０の日付２１に対応するように円形の貫通孔３２を横方向に沿って７個配置することにより列を形成し、この列を縦方向に沿って６つ配置している。なお、貫通孔３２の列数は６列に限られるものではなく、日数の少ない月（例えば２月）においては５列だけ設けることもできる。
【００４１】
また、ホルダーシート３０の左右縁部３０Ｌ・３０Ｒ及び下縁部３０Ｂには、カレンダーシート２０の円弧状切込部２３の位置に対応するように凹部３３が設けられている。凹部３３は本発明における係止手段を構成するものであり、カレンダーシート２０の円弧状切込部２３に嵌め込まれるように機能する。なお、ホルダーシート３０の上縁部３０Ｕ近傍には、カレンダースタンド２上部に取り付けられたリング部材３に係止されるリング係止部３５が設けられている。
【００４２】
続いて、図４〜図７を用いて、本発明の実施形態に係るカレンダー型包装体１及びカード型包装体１０の使用方法について説明する。なお、以下の説明においては、カード型包装体１０を構成するカレンダーシート２０が予めカレンダースタンド２上部のリング部材３に取り付けられているものとする。
【００４３】
まず、使用者は、図４に示すように、カード型包装体１０を構成するホルダーシート３０の収納部３１に、７個１列のポケット１１０が１列設けられた横長のＰＴＰシート１００を収納する。この際、ＰＴＰシート１００の薄膜をホルダーシート３０の貫通孔３２側に配置し、ＰＴＰシート１００のポケット１１０を収納部３１の貫通孔から露出させるようにする。
【００４４】
次いで、使用者は、図５に示すように、カード型包装体１０を構成するカレンダーシート２０の背面側に、ＰＴＰシート１００を収納したホルダーシート３０を配置した状態で、ホルダーシート３０のリング係止部３５をカレンダースタンド２上部のリング部材３に係止させる。これにより、ＰＴＰシート１００を収納したホルダーシート３０は、カレンダーシート２０の背面側に配置された状態でカレンダースタンド２に吊り下げられることとなる。
【００４５】
続いて、使用者は、図６に示すように、カレンダーシート２０の円弧状切込部２３にホルダーシート３０の左右縁部３０Ｌ・３０Ｒ及び下縁部３０Ｂに形成された凹部３３を嵌め込ませることにより、カレンダーシート２０にホルダーシート３０を係止させる。これにより、ＰＴＰシート１００がカレンダーシート２０とホルダーシート３０の間に挟み込まれた状態で保持されることとなる。この際、カレンダーシート２０の貫通孔２２からＰＴＰシート１００のポケット１１０を露出させて、カレンダーシート２０表面に印字された日付２１とポケット１１０とを一対一に対応させるようにする。
【００４６】
この後、使用者は、図７に示すように、例えば２０１１年１月１４日において、カード型包装体１０を把持しつつカレンダーシート２０表面の日付（「１４」）の下方の貫通孔２２から露出したＰＴＰシート１００のポケット１１０を押圧して、薬剤を取り出す。薬剤を取り出した後は、取り出した日付（「１４」）の下方に露出したＰＴＰシート１００のポケット１１０が変形することとなるため、この日付に服薬したことを使用者は認識することができる。
【００４７】
以上説明した実施形態に係るカード型包装体１０においては、２枚のシート２０・３０の間にＰＴＰシート１００を挟み込んで保持した際に、カレンダーシート２０の表面に印字された各日付２１の近傍にＰＴＰシート１００のポケット１１０を露出させて、各日付２１とＰＴＰシート１００のポケット１１０とを一対一に対応させることができる。従って、ＰＴＰシート１００に収納された薬剤を服用する患者（又は患者の服薬状況を管理する第三者）は、一日一回ＰＴＰシート１００のポケット１１０を押圧してホルダーシート３０の貫通孔３２を介して薬剤を取り出すことにより、何月何日に薬剤を服用したかをきわめて簡単に認識することができる。カレンダーシート２０には月毎に日付が印字されているため、長期間にわたって服薬状況を管理することが可能となる。
【００４８】
また、以上説明した実施形態に係るカード型包装体１０においては、ＰＴＰシート１００の横方向におけるポケット１１０の間隔やポケット１１０のサイズが変更された場合においても、カレンダーシート２０の貫通孔２２（２２ａ、２２ｂ）をＰＴＰシート１００のポケット１１０に対応させることができる。例えば、７個１列のポケット１１０を有するＰＴＰシート１００を採用した場合には、横方向中央の円形の貫通孔２０ｂにＰＴＰシート１００の中央の１個のポケット１１０を位置合わせすることにより、ＰＴＰシート１００の横方向におけるポケット１１０の間隔やポケット１１０のサイズが変更された場合においても、左右に配置された長円形の貫通孔２０ａによってＰＴＰシート１００の左右３個ずつのポケット１１０を支障なく露出させることができる。
【００４９】
また、以上説明した実施形態に係るカード型包装体１０においては、ホルダーシート３０に収納部３１を設けているため、カレンダーシート２０とホルダーシート３０の間にＰＴＰシート１００を挟み込む前に、ホルダーシート３０の収納部３１によってＰＴＰシート１００を収納して保持することができる。
【００５０】
また、以上説明した実施形態に係るカード型包装体１０においては、ホルダーシート３０において、円形の貫通孔３２をカレンダーシート２０の日付に対応するように横方向に沿って７個配置することにより列を形成し、この列を縦方向に沿って複数配置している。このため、ホルダーシート３０の各貫通孔３２の位置を、ＰＴＰシート１００のポケット１１０に一対一に対応させることができる。
【００５１】
また、以上説明した実施形態に係るカード型包装体１０においては、カレンダーシート２０に形成された円弧状切込部２３と、ホルダーシート３０の縁部に形成された凹部３３と、から係止手段を構成し、円弧状切込部２３に凹部３３を嵌め込むことによりカレンダーシート２０にホルダーシート３０を係止させている。従って、別途部材を設けることなくきわめて簡易に係止手段を構成することができる。また、カレンダーシート２０の左右縁部２０Ｌ・２０Ｒ近傍及び下縁部２０Ｂ近傍に形成された円弧状切込部２３にホルダーシート３０の左右縁部３０Ｌ・３０Ｒ及び下縁部３０Ｂの凹部３３を嵌め込んでいるので、安定的な係止状態を維持することが可能となる。
【００５２】
また、以上説明した実施形態に係るカード型包装体１０においては、カレンダーシート２０の各円弧状切込部２３の両側に、各縁部に対して直角に形成されたスリット２４を設けているため、カレンダーシート２０の各縁部におけるスリット間部分（円弧状切込部２３の周囲部分）が撓み易くなる。このため、ホルダーシート３０の縁部をカレンダーシート２０の円弧状切込部２３に嵌め込み易くなる。
【００５３】
また、以上説明した実施形態に係るカレンダー型包装体１は、カード型包装体１０を１２個備えるものであるため、長期間（１年間）にわたって服薬状況を管理することが可能となる。
【００５４】
なお、以上の実施形態においては、７個１列のポケット１１０が１列設けられた横長のＰＴＰシート１００をカード型包装体１０に収納する例を示したが、カード型包装体１０に収納するＰＴＰシートの形態はこれに限られるものではない。例えば、１個のポケットが設けられたＰＴＰシートと、６個１列のポケットが１列設けられた横長のＰＴＰシートと、を組み合わせて計７個としてもよく、２個と５個、３個と４個の組み合わせを採用することもできる。
【００５５】
また、以上の実施形態においては、７個１列のポケット１１０が１列設けられたＰＴＰシート１００を横方向（水平方向）に延在させた状態で収納するカード型包装体１０を例示したが、このようなＰＴＰシート１００を縦方向（鉛直方向）に延在させた状態で収納するカード型包装体を採用することもできる。
【００５６】
また、以上の実施形態においては、円形の貫通孔３２が４２個設けられたホルダーシート３０を採用した例を示したが、貫通孔の形状や個数はこれに限られるものではない。例えば、図８に示すように、横方向に長い長円形の貫通孔３２ａ（第一の貫通孔）と、円形の貫通孔３２ｂ（第二の貫通孔）と、長円形の貫通孔３２ａ（第一の貫通孔）と、を横方向に沿ってこの順に配置することにより列を形成し、この列を縦方向に沿って複数（例えば６列）配置したホルダーシート３０Ａを採用することもできる。
【００５７】
かかる構成を採用すると、ＰＴＰシート１００の横方向におけるポケット１１０の間隔やポケット１１０のサイズが変更された場合においても、ホルダーシート３０Ａの貫通孔３２ａ・３２ｂをＰＴＰシート１００のポケットに対応させることができる。例えば、７個１列のポケット１１０を有するＰＴＰシート１００を採用した場合には、横方向中央の円形の貫通孔３２ｂにＰＴＰシート１００の中央の１個のポケット１１０を位置合わせすることにより、ＰＴＰシート１００の横方向におけるポケット１１０の間隔やポケット１１０のサイズが変更された場合においても、左右に配置された長円形の貫通孔３２ａによってＰＴＰシート１００の左右３個ずつのポケット１１０の範囲をカバーすることができる。
【００５８】
また、以上の実施形態においては、７個１列のポケット１１０が１列設けられたＰＴＰシート１００（図４）を収納するような１列用の収納部３１を設けたホルダーシート３０を採用した例を示したが、収納部の態様はこれに限られるものではない。例えば、図９に示すように、７個１列のポケットが２列設けられたＰＴＰシートを収納するような２列用の収納部３１Ｂを縦方向に沿って３つ設けたホルダーシート３０Ｂを採用することもできる。
【００５９】
また、以上の実施形態においては、ＰＴＰシートを収納するための収納部３１が設けられたホルダーシート３０を採用した例を示したが、収納部は必ずしも設けられていなくてもよい。すなわち、カレンダーシート２０の背面とホルダーシート３０の前面との間にＰＴＰシートを挟み込み、ＰＴＰシートのポケットをカレンダーシート２０の貫通孔２２から露出させた状態で、係止手段によってカレンダーシート２０にホルダーシート３０を係止させることにより、ＰＴＰシートを保持することもできる。
【００６０】
また、以上の実施形態においては、カレンダーシート２０及びホルダーシート３０の上縁部をカレンダースタンド２上縁部に取り付けた例を示したが、カレンダーシート２０及びホルダーシート３０をカレンダースタンド２に取り付ける態様はこれに限られるものではない。例えば、カレンダーシート２０及びホルダーシート３０の左縁部（又は右縁部）をカレンダースタンド２の左縁部（又は右縁部）に取り付けることもできる。
【００６１】
また、以上の実施形態においては、平面視矩形状のカレンダーシート２０及びホルダーシート３０を採用した例を示したが、これらシートの平面形状はこれに限られるものではなく、楕円形状、台形形状、多角形状等を採用することもできる。
【００６２】
また、以上の実施形態においては、カレンダーシート２０の円弧状切込部２３とホルダーシート３０の縁部（凹部３３）とによって係止手段を構成した例を示したが、係止手段の構成は、カレンダーシート２０に重ねられたホルダーシート３０をカレンダーシート２０に係止させることができるものであればいかなる構成を採用してもよい。例えば、マジックテープ（登録商標）、両面テープ、ボタン、クリップ等を係止手段として採用することもできる。
【符号の説明】
【００６３】
１…カレンダー型包装体、１０…カード型包装体、２０…カレンダーシート（第一のシート）、２０Ｂ…下縁部、２０Ｌ…左縁部、２０Ｒ…右縁部、２１…日付、２２…貫通孔、２２ａ…長円形の貫通孔（第一の貫通孔）、２２ｂ…円形の貫通孔（第二の貫通孔）、２３…円弧状切込部（係止手段）、２４…スリット、３０…ホルダーシート（第二のシート）、３０Ｂ…下縁部、３０Ｌ…左縁部、３０Ｒ…右縁部、３１・３１Ｂ…収納部、３２…円形の貫通孔、３２ａ…長円形の貫通孔（第一の貫通孔）、３２ｂ…円形の貫通孔（第二の貫通孔）、３３…凹部（係止手段）、１００…ＰＴＰシート、１１０…ポケット。
【図１】
0005666290.tif 000002
【図２】
0005666290.tif 000003
【図３】
0005666290.tif 000004
【図４】
0005666290.tif 000005
【図５】
0005666290.tif 000006
【図６】
0005666290.tif 000007
【図７】
0005666290.tif 000008
【図８】
0005666290.tif 000009
【図９】
0005666290.tif 000010